(57)【要約】      （修正有）【課題】暗い所でも、容易に正しいグリップ位置で握ることができるドラムスティックを提供する。【解決手段】本発明に係るドラムスティック１０は、棒状をなし、基端側における手で握る部分からなるグリップ部１１と、グリップ部１１の先端側に連続する胴部１２との境界に、周方向に延びる凸条、又は凹条からなるグリップ位置表示線２を有する。【選択図】図２
2019203948.tif 000002
【特許請求の範囲】
【請求項１】
ドラムの演奏に用いられる棒状のドラムスティックであって、
基端側における手で握る部分からなるグリップ部と、前記グリップ部の先端側に連続する胴部との境界に、周方向に延びる凸条、又は凹条からなるグリップ位置表示線を有することを特徴とするドラムスティック。
【請求項２】
前記グリップ位置表示線は、当該ドラムスティックの長手方向の基端側に位置するマッチドグリップ線と、前記長手方向の先端側に位置するレギュラーグリップ線とを有する請求項１に記載のドラムスティック。
【請求項３】
前記マッチドグリップ線、及び前記レギュラーグリップ線が共に凹条からなる請求項２に記載のドラムスティック。
【請求項４】
請求項１から請求項３のいずれか１項に記載のドラムスティックを左右一対に備えるドラムスティックセット。
【請求項５】
請求項１に記載のドラムスティックを左右一対に備え、
左右の一方のドラムスティックのグリップ位置表示線が、当該ドラムスティックの長手方向の基端側に位置するマッチドグリップ線のみからなり、左右の他方のドラムスティックのグリップ位置表示線が、前記一方のドラムスティックのマッチドグリップ線よりも先端側に位置するレギュラーグリップ線のみからなるドラムスティックセット。
【請求項６】
請求項１に記載のドラムスティックを左右一対に備え、
左右の一方のドラムスティックのグリップ位置表示線が、当該ドラムスティックの長手方向の基端側に位置するマッチドグリップ線のみからなり、左右の他方のドラムスティックのグリップ位置表示線が、前記左右の一方のドラムスティックにおけるマッチドグリップ線と同じ位置に設けられるマッチドグリップ線と、当該マッチドグリップ線よりも先端側に位置するレギュラーグリップ線とを有するドラムスティックセット。
【発明の詳細な説明】
【技術分野】
【０００１】
この発明は、ドラムや太鼓を叩いて演奏するためのドラムスティックに関し、特に、グリップ部とこれに連続する胴部との境界を表示する表示手段を有するドラムスティックに関する。
【背景技術】
【０００２】
ドラムスティックの中には、演奏時に手で握るグリップ部に滑り止めのカバー等を有するものや、グリップ部とその先端側に隣接する胴部との境界に段差を有するものがある。
ところが、大半のドラムスティックは、かかるカバーや段差を有さないことから、ドラム初心者等には、握る位置が分かりにくいという問題がある。
【０００３】
そこで、かかるカバーや段差を有さないドラムスティックには、従来、グリップ位置の目安とするために、グリップ部全体に塗料を塗ったもの（例えば、非特許文献１参照）や胴部との境界に輪状のラインが印刷されたものがあり、広く市販されている。
【先行技術文献】
【非特許文献】
【０００４】
【非特許文献１】「楽器ＰＬＡＺＡ」ホームページのプレイウッド社製トレーニングスティックのページ  平成３０年５月１６日検索  ＜ｈｔｔｐ：／／ｔｅｌｅｍａｎｎ−ｇａｋｋｉ．ｃｏｍ／ｐｅｒｃｕｓｓｉｏｎ／ｓｔｉｃｋｓ／ｐｌａｙｗｏｏｄ％２０ｔｒ−ａａ．ｈｔｍｌ＞
【発明の概要】
【発明が解決しようとする課題】
【０００５】
しかし、非特許文献１のドラムスティックのように、塗料や、印刷による表示では、暗い場所では、グリップ位置の判別が難しいという問題がある。
本発明は、上記課題に鑑みてなされたものであり、暗い場所でも容易にグリップ位置を判別可能なドラムスティックの提供を目的とする。
【課題を解決するための手段】
【０００６】
上記課題を解決するためになされた発明は、ドラムの演奏に用いられる棒状のドラムスティックであって、基端側における手で握る部分からなるグリップ部と、前記グリップ部の先端側に連続する胴部との境界に、周方向に延びる凸条、又は凹条からなるグリップ位置表示線を有することを特徴とする。
【０００７】
このように、グリップ部と胴部の境界において周方向に伸びるよう設けられるグリップ位置表示線を、凸条、又は凹条により構成することで、暗い場所でも容易にグリップ位置表示線を探り当てることができるため、容易に正しいグリップ位置でドラムスティックを握ることができる。
【０００８】
前記グリップ位置表示線は、当該ドラムスティックの長手方向の基端側に位置するマッチドグリップ線と、前記長手方向の先端側に位置するレギュラーグリップ線とを有することが好ましい。こうすることで、マッチドグリップでドラムスティックを握る際も、レギュラーグリップでドラムスティックを握る際も、容易に正しいグリップ位置でドラムスティックを握ることができる。
ここで、「マッチドグリップ」とは、図１に示した持ち方をいい、「レギュラーグリップ」とは、図６の左手の持ち方をいうものとする。
【０００９】
前記グリップ位置表示線が、前記マッチドグリップ線、及び前記レギュラーグリップ線を備える場合には、前記マッチドグリップ線、及び前記レギュラーグリップ線が共に凹条からなることが好ましい。こうすることで、レギュラーグリップでドラムスティックを握る際に、マッチドグリップが邪魔にならずに済む。
【００１０】
本発明は、上記いずれかのドラムスティックを左右一対に備えるドラムスティックセットを含む。このように、左右ともグリップ位置表示線を設けることで、左右いずれのスティックも容易に正しいグリップ位置で握ることができる。
【００１１】
本発明は、左右の一方のドラムスティックのグリップ位置表示線が、当該ドラムスティックの長手方向の基端側に位置するマッチドグリップ線のみからなり、左右の他方のドラムスティックのグリップ位置表示線が、前記一方のドラムスティックのマッチドグリップ線よりも先端側に位置するレギュラーグリップ線のみからなるドラムスティックセットを含む。
例えば、右側のドラムスティックをマッチドグリップで握り、左側のドラムスティックをレギュラーグリップで握る場合に、マッチドグリップ線とレギュラーグリップ線の両方を備えたグリップを用いると、暗い所では、これら２つの線を混同する虞がある。
マッチドグリップで握る方の手は、マッチドグリップ線のみを有するドラムスティックを用い、レギュラーグリップで握る方の手は、レギュラーグリップ線のみを有するドラムスティックを用いることで、このような混同を回避することができる。
【００１２】
本発明は、左右の一方のドラムスティックのグリップ位置表示線が、当該ドラムスティックの長手方向の基端側に位置するマッチドグリップ線のみからなり、左右の他方のドラムスティックのグリップ位置表示線が、前記左右の一方のドラムスティックにおけるマッチドグリップ線と同じ位置に設けられるマッチドグリップ線と、当該マッチドグリップ線よりも先端側に位置するレギュラーグリップ線とを有するドラムスティックセットを含む。
【発明の効果】
【００１３】
以上説明したように、本発明のドラムスティックは、暗い場所でも容易にグリップ位置を認識することができる。
【図面の簡単な説明】
【００１４】
【図１】本発明の第１実施形態に係るドラムスティックセットを両手ともマッチドグリップで握った様子を示す説明図である。
【図２】図１に示したドラムスティックの正面図である。平面図、及び底面図は、正面図と同様に表れ、背面図は、正面図と対称に表れる。
【図３】図１に示したドラムスティックの右側面図である。
【図４】図１に示したドラムスティックの左側面図である。
【図５】図１に示したドラムスティックのグリップ位置表示線の近傍を表す要部正面図である。
【図６】本発明の第２実施形態に係るドラムスティックセットを、右手はマッチドグリップで、左手はレギュラーグリップで握った様子を示す説明図である。
【図７】図６に示したドラムスティックの正面図である。
【図８】グリップ位置表示線が凹条である場合のその他の実施例である。
【図９】グリップ位置表示線が凸条である場合の実施例である。
【図１０】グリップ位置表示線が破線状である場合の実施例である。
【図１１】グリップ位置表示線が印刷模様を伴う場合の実施例である。
【発明を実施するための形態】
【００１５】
以下、適宜図面を用いながら本発明の実施形態について詳述する。ただし、本発明は、以下の実施形態に限られるものではない。
尚、以下の説明において、ドラムスティックの基端側を単に「基端側」といいい、その先端側を単に「先端側」というものとする。
【００１６】
（第１実施形態）
図１、乃至図５は、本発明の第１実施形態に係るドラムスティックセット１００を示している。ドラムスティックセット１００は、左右一対の棒状のドラムスティック１０，１０からなり、ドラムを叩いて演奏するために用いられる。
【００１７】
ドラムスティック１０は、図２に示すように、球面状に形成された基端部５と、基端部５に連続して設けられるグリップ部１１と、グリップ部１１の先端側に連続する胴部１２と、グリップ部１１、及び胴部１２の境界に周方向に延びるよう設けられるグリップ位置表示線（マッチドグリップ線）２（２Ａ）と、胴部１２の先端側に設けられるショルダー部３と、ショルダー部３の先端に設けられるチップ部４とを備えている。尚、以下の説明において、グリップ部１１と、胴部１２を合わせて、スティック本体１と称することがある。
【００１８】
ドラムスティック１０の材質としては、特に限定されず、木材、金属、樹脂等の適宜の材質を採用することができ、ヒッコリーやオーク、メイプル等の木材が好ましく用いられる。
【００１９】
スティック本体１は、軸垂直断面が円形をなす丸棒形状を有し、グリップ部１１と胴部１２とに亘り、全長が同じ太さの直円柱状に設けられている。
【００２０】
ショルダー部３は、基端側が胴部１２と同径をなすとともに先端側に向けて縮径する円錐状をなしている。
【００２１】
チップ部４は、ショルダー部３の先端に設けられ、最大径がショルダー部３の先端より大きい粒状をなしている。チップ部４の形状は、図２に示した球型に限らず、樽型や、卵型、涙型、円錐型等適宜の形状を採用できる。チップ部４は、ショルダー部３と一体的に削り出した木製に限らず、ナイロン製のものを取り付けるようにしてもよい。
【００２２】
グリップ位置表示線２Ａは、図５に示した、底部が鋭角に切り込んだ二等辺三角形状の断面を有している。ただし、グリップ位置表示線２は、グリップ位置表示線２Ａのような形状に限らず、図８（ａ）に符号２Ｂで示した凹条の断面が弧状のもの、図８（ｂ）に符号２Ｃで示した凹条の断面が台形状のもの、図８（ｃ）に符号２Ｄで示した凹条が２条隣接したもの等、適宜の形状を採用できる。
【００２３】
また、グリップ位置表示線２は、凹条に限らず、図９に示した様に、凸条とすることができる。図９（ａ）の符号２Ｅのように断面が弧状の凸条のもの、図９（ｂ）の符号２Ｆのように断面が台形の凸条のもの、図９（ｃ）の符号２Ｇのように断面が三角形の凸条のもの、図９（ｄ）の符号２Ｈのように凸条が２条隣接したもの等、適宜の形状を採用できる。凸条からなるグリップ位置表示線２は、スティック本体１と一体に削り出すようにして設けてもよいし、樹脂等からなる凸条を溶着する等、スティック本体１と別体に設けてもい。
【００２４】
また、グリップ位置表示線２は、図１０に示した様に、周方向について複数部分に分断される破線状であってもよい。図１０（ａ）の符号２Ｉの様に、破線状の凹条であてもよいし、図１０の符号２Ｊの様に、破線状の凸条であってもよい。
【００２５】
さらに、グリップ位置表示線２は、図１１のように、凸条や凹条と印刷模様６とを組み合わせたものでもよい。図１１の例は、グリップ位置表示線２Ａと同じ凹条２本と、その間の円を周方向に並べた印刷模様６とからなる。
【００２６】
ドラムスティックセット１００を用いてドラムを演奏する際には、図１に示した様に、左右両手とも、親指Ｔと人差指Ｆとでグリップ位置表示線２を押さえて、グリップ部を握るようにする。
グリップ位置表示線２（２Ａ〜２Ｊ）は、凹条、又は凸条からなるため、触感でその位置を探り当てることができ、暗い場所でも容易に正しいグリップ位置でドラムスティック１０を握ることができる。
【００２７】
（第２実施形態）
図６は、本発明に係る第２実施形態のドラムスティックセット２００を示している。ドラムスティックセット２００は、左右の一方の手（図６では右手）で用いるドラムスティック１０と、左右の他方の手（図６の左手）で用いるドラムスティック２０とを備えている。
尚、第２実施形態において、第１実施形態と共通する部分は、第一実施形態と同一符号を付して説明を省略する。
【００２８】
ドラムスティック２０は、図７に示すように、第１実施形態におけるドラムスティック１０におけるグリップ位置表示線２と同じ位置に設けられるマッチドグリップ線２と、マッチドグリップ線２から先端側に離間して設けられるレギュラーグリップ線２０２とを備えている。ドラムスティック２０では、スティック本体１において、マッチドグリップ線２とレギュラーグリップ線２０２の間にレギュラーグリップ部（第１胴部）２１２が形成され、レギュラーグリップ線２０２とショルダー部３の間に第２胴部２１３が形成される。レギュラーグリップ線２０２の形状は、これら両線２，２０２とも、第１実施形態における各種形状の凹条、凸条（２Ａ〜２Ｊ）を適宜に採用できる。
【００２９】
ドラムスティックセット２００を用いてドラムを演奏する際には、図６に示した様に、右手は親指Ｔと人差指Ｆとでグリップ位置表示線２を押さえてマッチドグリップに握り、左手は中指Ｍと薬指Ｒとでレギュラーグリップ線２０２を押さえてレギュラーグリップに握るようにする。
【００３０】
以上、本発明のドラムスティックは上記の実施形態に限られるものではなく、例えば、グリップ位置表示線として、レギュラーグリップ線２０２のみを備えていてもよく、本発明のドラムスティックセットは、左右の一方のドラムスティックが、マッチドグリップ線のみを有し、左右の他方のドラムスティックが、左右の一方のドラムスティックにおけるマッチドグリップ線よりも先端側に位置するレギュラーグリップ線のみを有するものであってもよい。マッチドグリップ線とレギュラーグリップ線を区別するためにこれらの一方を凸条とし、他方を凹条としてもよい。
グリップ位置表示線は、３本以上設けてもよい。
【００３１】
また、本発明のドラムスティックは、スティック本体部の断面が円形でなく、断面が多角形状でもよい。
【００３２】
また、スティック本体部は、柱状に限らず、グリップ部と胴部の境界に段差等を備えなければ、先細りの錐状でもよく、周面が凸湾曲面や凹湾曲面からなるものでもよい。さらに、本発明のドラムスティックは、ショルダー部やチップ部を備えなくともよく、和太鼓に用いるバチ等も含む。
【符号の説明】
【００３３】
１００，２００  ドラムスティックセット
１０，２０  ドラムスティック
１１  グリップ部
１２，２１３  胴部
２  マッチドグリップ線（グリップ位置表示線）
２０２  レギュラーグリップ線（グリップ位置表示線）
２１２  レギュラーグリップ部（胴部、グリップ部）
【図１】
2019203948.tif 000003
【図２】
2019203948.tif 000004
【図３】
2019203948.tif 000005
【図４】
2019203948.tif 000006
【図５】
2019203948.tif 000007
【図６】
2019203948.tif 000008
【図７】
2019203948.tif 000009
【図８】
2019203948.tif 000010
【図９】
2019203948.tif 000011
【図１０】
2019203948.tif 000012
【図１１】
2019203948.tif 000013